(57)【要約】【課題】受講者が自らの意思で筆跡を容易に確認することが可能な表示システム及びプログラムを提供する。【解決手段】講師用端末４は、各受講者用端末３が電子ペン１から受信した記入情報に基づくストローク情報を受信すると共に、要求に応じて他者筆跡情報を受講者用端末３に送信する。そして、各受講者用端末３と講師用端末４とは、使用者である受講者や講師の操作に応じて、解答用紙２への筆跡を表示するための筆跡表示ウィンドウの表示制御を、互いに独立して行う。【選択図】図１
2015095018.tif 000002
【特許請求の範囲】
【請求項１】
受講者が使用する複数の第１端末と、前記受講者の講師が使用する第２端末とを有する表示システムであって、
前記第１端末は、
筆跡に関する情報を電子ペンから受信する第１受信手段と、
前記筆跡に関する情報に基づく表示を行う第１表示手段と、
前記筆跡に関する情報を前記第２端末に送信する第１送信手段とを備え、
前記第２端末は、
前記第１送信手段より送信された前記筆跡に関する情報を受信する第２受信手段と、
前記筆跡に関する情報に基づく表示を行う第２表示手段と、を備え、
前記第１表示手段と前記第２表示手段とは、前記筆跡に関する表示を、互いに独立して行うことを特徴とする表示システム。
【請求項２】
前記第１端末は複数存在し、
前記第１端末の各々の第１表示手段は、前記筆跡に関する表示を、互いに独立して行うことを特徴とする請求項１に記載の表示システム。
【請求項３】
前記第２端末は、前記第１端末の各々に対し、他の第１端末から受信した前記筆跡に関する情報を送信する第２送信手段をさらに備え、
前記第１表示手段は、前記電子ペンから受信した筆跡に関する情報と、前記第２送信手段により送信された前記筆跡に関する情報とに基づく表示を行うことを特徴とする請求項２に記載の表示システム。
【請求項４】
前記第１受信手段は、前記筆跡に関する情報を複数の電子ペンから受信することを特徴とする請求項１〜３のいずれか一項に記載の表示システム。
【請求項５】
前記第２端末は、外部入力に基づき、前記第１端末の各々に対し、他の第１端末を使用する受講者の筆跡に関する表示を制限する表示制限手段をさらに有することを特徴とする請求項１〜４のいずれか一項に記載の表示システム。
【請求項６】
前記第１表示手段は、前記第１端末を使用する受講者に関連する表示と、他の第１端末を使用する受講者に関連する表示とで色分けすることを特徴とする請求項１〜５のいずれか一項に記載の表示システム。
【請求項７】
前記第１端末は、前記第１表示手段により前記筆跡に関する情報に基づく表示を行うためのアプリケーションの起動時に、前記第２端末から前記第１表示手段による表示に関する初期設定の情報を取得する初期設定情報取得手段をさらに有することを特徴とする請求項１〜６のいずれか一項に記載の表示システム。
【請求項８】
前記第１端末又は前記第２端末は、前記第１端末ごと、前記電子ペンごと、又は前記受講者ごとに、表示すべき筆跡に対応する受講者をグループ分けするグループ設定手段を有することを特徴とする請求項１〜７のいずれか一項に記載の表示システム。
【請求項９】
前記グループ設定手段は、前記第１端末ごとに、表示すべき筆跡に対応する受講者をグループ分けする場合において、複数人が所属するグループの１人の受講者に対応するグループ番号の変更を指示する入力を検知した場合に、当該グループに所属する全ての受講者に対応するグループ番号の変更を行うことを特徴とする請求項８に記載の表示システム。
【請求項１０】
前記第１端末又は前記第２端末は、前記電子ペンから送信される情報に基づき、前記電子ペンがタップされた用紙又は当該用紙内のエリアを識別することで、前記電子ペンを使用する受講者のグループを設定するグループ設定手段を有することを特徴とする請求項１〜９のいずれか一項に記載の表示システム。
【請求項１１】
前記第１端末から前記筆跡に関する情報を受信し記憶するサーバ装置をさらに有することを特徴とする請求項１〜１０のいずれか一項に記載の表示システム。
【請求項１２】
前記第１端末は、前記第１受信手段により前記電子ペンから受信した筆跡に関する情報を、表示データに変換する変換手段をさらに有し、
前記第１送信手段は、前記表示データを、前記筆跡に関する情報として前記第２端末に送信することを特徴とする請求項１〜１１のいずれか一項に記載の表示システム。
【請求項１３】
請求項１〜１２のいずれか一項に記載の第１端末又は第２端末としてコンピュータを機能させることを特徴とするプログラム。
【請求項１４】
受講者が使用する複数の第１端末と、前記受講者の講師が使用する第２端末とを有する表示システムにおいて実行される表示方法であって、
前記第１端末が筆跡に関する情報を電子ペンから受信する第１受信工程と、
前記第１端末が前記筆跡に関する情報に基づく表示を行う第１表示工程と、
前記第１端末が前記筆跡に関する情報を前記第２端末に送信する第１送信工程と、
前記第２端末が前記第１送信工程より送信された前記筆跡に関する情報を受信する第２受信工程と、
前記第２端末が前記筆跡に関する情報に基づく表示を行う第２表示工程と、
前記第２端末が、前記第１端末の各々に対し、他の第１端末から受信した前記筆跡に関する情報を送信する第２送信工程と、を有し、
前記第１表示工程では、前記第１端末は、前記電子ペンから受信した筆跡に関する情報と、前記第２送信工程により送信された前記筆跡に関する情報とに基づく表示を行うことを特徴とする表示方法。
【発明の詳細な説明】
【技術分野】
【０００１】
本発明は、筆跡を表示する技術に関する。
【背景技術】
【０００２】
従来から、受講者が使用する電子ペンの筆跡情報を集約して表示するシステムが知られている。例えば、特許文献１には、受講者が電子ペンを用いて用紙に記入する都度、電子ペンが記入情報を生成して講師が使用する集約装置に送信し、集約装置が受信した記入情報に基づく各受講者の筆跡を、ディスプレイやスクリーンに表示するシステムが開示されている。また、本発明に関連する技術が特許文献２に記載されている。
【先行技術文献】
【特許文献】
【０００３】
【特許文献１】特許第５０９９５９５号明細書
【特許文献２】特開２０１１−４８０４２号公報
【発明の概要】
【発明が解決しようとする課題】
【０００４】
特許文献１等に記載のシステムでは、受講者が電子ペンで記入した筆跡の情報を、講師が使用する集約装置に集約して表示するため、受講者が自らの意思で自己又は他受講者の筆跡を確認することができないという問題がある。そこで、本発明は、受講者が自らの意思で筆跡を容易に確認することが可能な表示システム及びプログラムを提供することを主な目的とする。
【課題を解決するための手段】
【０００５】
本発明の１つの観点では、受講者が使用する複数の第１端末と、前記受講者の講師が使用する第２端末とを有する表示システムであって、前記第１端末は、筆跡に関する情報を電子ペンから受信する第１受信手段と、前記筆跡に関する情報に基づく表示を行う第１表示手段と、前記筆跡に関する情報を前記第２端末に送信する第１送信手段とを備え、前記第２端末は、前記第１送信手段より送信された前記筆跡に関する情報を受信する第２受信手段と、前記筆跡に関する情報に基づく表示を行う第２表示手段と、を備え、前記第１表示手段と前記第２表示手段とは、前記筆跡に関する表示を、互いに独立して行う。
【０００６】
上記表示システムは、受講者が使用する複数の第１端末と、講師が使用する第２端末とを有する。第１端末は、筆跡に関する情報を電子ペンから受信し、当該筆跡に関する情報に基づく表示を行うと共に、筆跡に関する情報を第２端末に送信する。第２端末は、第１端末より送信された筆跡に関する情報を受信し、当該筆跡に関する情報に基づく表示を行う。そして、第１端末と、第２端末とは、筆跡に関する表示を、互いに独立して行う。この態様により、受講者は、第１端末を操作して、自らの意思で筆跡を容易に確認することが可能となる。
【０００７】
上記表示システムの一態様では、前記第１端末は複数存在し、前記第１端末の各々の第１表示手段は、前記筆跡に関する表示を、互いに独立して行う。これにより、各第１端末を使用する受講者は、それぞれ、自らの意思で筆跡を容易に確認することが可能となる。
【０００８】
上記表示システムの他の一態様では、前記第２端末は、前記第１端末の各々に対し、他の第１端末から受信した前記筆跡に関する情報を送信する第２送信手段をさらに備え、前記第１表示手段は、前記電子ペンから受信した筆跡に関する情報と、前記第２送信手段により送信された前記筆跡に関する情報とに基づく表示を行う。この態様により、各受講者は、他の受講者の筆跡を自らの意思で好適に確認することができる。
【０００９】
上記表示システムの他の一態様では、前記第１受信手段は、前記筆跡に関する情報を複数の電子ペンから受信する。このように、複数の電子ペンごとに１つの端末を用意する場合であっても、本発明を好適に適用することができる。
【００１０】
上記表示システムの他の一態様では、表示システムは、外部入力に基づき、前記第２端末は、前記第１端末の各々に対し、他の第１端末が電子ペンから受信した筆跡に関する情報に基づく表示を制限する表示制限手段をさらに備える。この態様により、講師は、第２端末を操作することで、各受講者が他の受講者の筆跡の閲覧制限を必要に応じて行うことができる。
【００１１】
上記表示システムの他の一態様では、前記第１表示手段は、前記第１端末を使用する受講者に関連する表示と、他の第１端末を使用する受講者に関連する表示とで色分けする。この態様により、受講者は、他の端末を使用する受講者に関する表示を容易に識別することができる。
【００１２】
上記表示システムの他の一態様では、前記第１端末は、前記第１表示手段により前記筆跡に関する情報に基づく表示を行うためのアプリケーションの起動時に、前記第２端末から前記第１表示手段による表示に関する初期設定の情報を取得する初期設定情報取得手段をさらに有する。この態様により、各受講者が使用する第１端末の表示の初期設定を、講師が使用する第２端末の設定に好適に統一することができる。
【００１３】
上記表示システムの他の一態様では、前記第１端末又は前記第２端末は、前記第１端末ごと、前記電子ペンごと、又は前記受講者ごとに、表示すべき筆跡に対応する受講者をグループ分けするグループ設定手段を有する。この態様により、表示システムは、好適に受講者のグループを設定することができる。
【００１４】
上記表示システムの他の一態様では、前記グループ設定手段は、前記第１端末ごとに、表示すべき筆跡に対応する受講者をグループ分けする場合において、複数人が所属するグループの１人の受講者に対応するグループ番号の変更を指示する入力を検知した場合に、当該グループに所属する全ての受講者に対応するグループ番号の変更を行う。この態様により、表示システムは、好適に受講者のグループを変更することができる。
【００１５】
上記表示システムの他の一態様では、前記第１端末又は前記第２端末は、前記電子ペンから送信される情報に基づき、前記電子ペンがタップされた用紙又は当該用紙内のエリアを識別することで、前記電子ペンを使用する受講者のグループを設定するグループ設定手段を有する。この態様によっても、表示システムは、好適に受講者のグループを設定することができる。
【００１６】
上記表示システムの他の一態様では、表示システムは、前記第１端末から前記筆跡に関する情報を受信し記憶するサーバ装置をさらに有する。この態様により、表示システムは、生成された筆跡に関する情報を好適に保存することができる。
【００１７】
上記表示システムの他の一態様では、前記第１端末は、前記第１受信手段により前記電子ペンから受信した筆跡に関する情報を、表示データに変換する変換手段をさらに有し、前記第１送信手段は、前記表示データを、前記筆跡に関する情報として前記第２端末に送信する。この態様により、第２端末は、電子ペンが生成した情報を解析することなく、第１端末から受信した表示データに基づき、筆跡を好適に再現して表示することができる。
【００１８】
本発明に係るプログラムは、上記記載のいずれか一つの第１端末又は第２端末としてコンピュータを機能させる。これらのプログラムをコンピュータにインストールして機能させることで、本発明に係る表示システムの第１又は第２端末を構成させることができる。
【００１９】
本発明のさらに別の観点では、受講者が使用する複数の第１端末と、前記受講者の講師が使用する第２端末とを有する表示システムにおいて実行される表示方法であって、前記第１端末が筆跡に関する情報を電子ペンから受信する第１受信工程と、前記第１端末が前記筆跡に関する情報に基づく表示を行う第１表示工程と、前記第１端末が前記筆跡に関する情報を前記第２端末に送信する第１送信工程と、前記第２端末が前記第１送信工程より送信された前記筆跡に関する情報を受信する第２受信工程と、前記第２端末が前記筆跡に関する情報に基づく表示を行う第２表示工程と、前記第２端末が、前記第１端末の各々に対し、他の第１端末から受信した前記筆跡に関する情報を送信する第２送信工程と、を有し、前記第１表示工程では、前記第１端末は、前記電子ペンから受信した筆跡に関する情報と、前記第２送信工程により送信された前記筆跡に関する情報とに基づく表示を行う。第１端末及び第２端末は、この表示方法を実行することで、第１端末を使用する各受講者に、他の受講者の筆跡を好適に確認させることができる。
【発明の効果】
【００２０】
本発明によれば、受講者は、第１端末を操作して、自らの意思で筆跡を容易に確認することが可能となる。
【図面の簡単な説明】
【００２１】
【図１】実施形態に係る表示システムの構成を示す。
【図２】解答用紙の上面図を示す。
【図３】電子ペン、解答用紙と受講者（記入者）の対応を示す図である。
【図４】ドットパターンのドットと、そのドットが変換される値との関係を示す。
【図５】（ａ）は、ドットパターンを模式的に示し、（ｂ）は、それに対応する情報の例を示す図である。
【図６】電子ペンの構造を示す概略図である。
【図７】受講者用端末の機能ブロック図である。
【図８】講師用端末の機能ブロック図である。
【図９】ユーザＩＤと、受講者名と、電子ペンのペンＩＤとを関連付けた情報のデータ構造の一例を示す。
【図１０】受講者「太郎」の解答用紙への記入内容を個別に表示した個別表示画面を示す筆跡表示ウィンドウの表示例である。
【図１１】各受講者の記入内容を一覧表示した一覧表示画面を示す筆跡表示ウィンドウの表示例である。
【図１２】講師用端末が表示する筆跡表示ウィンドウの表示例である。
【図１３】第１閲覧設定での個別表示画面を示す筆跡表示ウィンドウの表示例である。
【図１４】本発明に適用可能な受講者、電子ペン、解答用紙、及び受講者用端末の割り当ての例を示す。
【図１５】「太郎」、「次郎」、及び「三郎」が受講者用端末を共有する場合において、「太郎」のグループ番号を変更する際の筆跡表示ウィンドウの表示例を示す。
【図１６】番号メニューから「５」と表示された項目がタッチされた直後の筆跡表示ウィンドウの表示例を示す。
【図１７】変形例に係る表示システムの構成例を示す。
【発明を実施するための形態】
【００２２】
以下、図面を参照しながら、本発明を実施するのに好適な実施形態について説明する。
【００２３】
［表示システムのシステム構成］
図１は、本実施形態における表示システムのシステム構成図である。図１に示すように、表示システムは、各受講者が授業などに使用する電子ペン１（１Ａ、１Ｂ、１Ｃ、…）、解答用紙（記入用紙）２（２Ａ，２Ｂ，２Ｃ、…）及び受講者用端末３（３Ａ，３Ｂ，３Ｃ、…）と、講師が使用する講師用端末４と、受講者用端末３と講師用端末４との間に接続された無線ＬＡＮルータなどの転送装置５とを備える。そして、表示システムは、受講者が電子ペン１により解答用紙２に記入した筆跡を、当該受講者が使用する受講者用端末３に一旦表示した上で、その筆跡を示すデータを講師用端末４に集約させる。
【００２４】
なお、図１の例では、電子ペン１は、記入した情報を、当該電子ペン１が予め登録された各受講者用端末３へＢｌｕｅｔｏｏｔｈ（登録商標）により送信する。また、受講者用端末３と転送装置５とのデータのやりとりは、ＷｉＦｉ（登録商標）により規定されたＴＣＰ／ＩＰを用いた無線通信方式で行われる。
【００２５】
以下、表示システムの各構成要素について説明する。
【００２６】
（１）解答用紙
図２を参照して解答用紙（記入用紙）２について説明する。図２に示すように、受講者ごとに複数枚の解答用紙２が一組用意され、同じ組の解答用紙２には、それぞれ異なる座標範囲のドットパターン（コード化パターン）が印刷される。また、解答用紙２には、マス目が印刷されている。ドットパターンは、赤外線を吸収するカーボンを含んだインキにより印刷され、マス目は、赤外域に吸収性を持たないインキにより印刷される。なお、解答用紙２には、マス目に代えて又はこれに加えて、記入欄や問題や解答欄等が印刷されていても良い。
【００２７】
なお、電子ペン１、解答用紙２と受講者（記入者）の対応等については、本実施形態では、図３に示すように、受講者「太郎」が、電子ペン１Ａを用いて解答用紙２Ａに解答し、受講者「次郎」が、電子ペン１Ｂを用いて解答用紙２Ｂに解答し、受講者「三郎」が、電子ペン１Ｃを用いて解答用紙２Ｃに解答し、受講者「四郎」が、電子ペン１Ｄを用いて解答用紙２Ｄに解答し、受講者「五郎」が、電子ペン１Ｅを用いて解答用紙２Ｅに解答するものとする。また、講師「花子」が、講師用端末４を操作し、受講者「太郎」、「次郎」、「三郎」、「四郎」、「五郎」が図示しない受講者用端末３Ａ〜３Ｅを操作するものとする。
【００２８】
（２）ドットパターン
次に、図４と図５を参照しながら、解答用紙２に印刷されたアノト方式のドットパターン（コード化パターン）について説明する。図４は、解答用紙２に印刷されたドットパターンのドットと、そのドットが変換される値との関係を説明する図である。図４に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、用紙上の位置座標が決定されるように構成されている。
【００２９】
図５（ａ）は、あるドットパターンの配列を示している。図５（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは位置座標（例えば、そのドットパターンが解答用紙２上のどの位置にあるのか）を保持している。図５（ｂ）は、図５（ａ）に示す各ドットを、格子の基準位置からのシフト方向によって、図４に示す規則性に基づいて、対応づけられた値に変換したものである。この変換は、ドットパターンの画像を撮影する電子ペン１によって行われる。
【００３０】
（３）電子ペン
次に、電子ペン１について図６を用いて説明する。図６は、電子ペン１の構造を示す概略図である。図６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、各受講者は、電子ペン１のペン先部１０３を、解答用紙２に当接させてストローク（手書きストローク）を記入する。インクカートリッジ１０４のインクは、赤外線を吸収する材料（例えばカーボン）を含まないようにする。ここで、電子ペン１のペン先部１０３が用紙に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００３１】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、受講者が電子ペン１により解答用紙２に文字やマークを書いたりタップしたりする際にペン先部１０３からインクカートリッジ１０４を通じて与えられる圧力、即ち筆圧を検出し、その値をプロセッサ１０８へ伝送する。
【００３２】
プロセッサ１０８は、圧力センサ１０７から与えられる筆圧データに基づいて、ＬＥＤ１０５及びＣＭＯＳカメラ１０６のスイッチのオン／オフを切り替える。即ち、受講者が電子ペン１で解答用紙２に文字などを書くと、ペン先部１０３に筆圧がかかり、圧力センサ１０７によって所定値以上の筆圧が検出されたときに、プロセッサ１０８は、受講者が記入を開始したと判定して、ＬＥＤ１０５及びＣＭＯＳカメラ１０６を作動させる。そして、受講者が１つのストロークを記入し終えて電子ペン１を解答用紙２から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として受講者用端末３へ送信する。
【００３３】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙２上のペン先部１０３近傍に向けて赤外線を照明する。その領域は、ペン先部１０３が解答用紙２に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙２に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図５（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３４】
プロセッサ１０８は、受講者の記入が行われる間、ＣＭＯＳカメラ１０６によって供給される画像データのドットパターンから、受講者が記入するストローク（筆跡）の解答用紙２上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図５（ａ）に示されるようなドットパターンの画像データを図５（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙２における６×６のドットパターンは、解答用紙２内で重複することはないため、受講者が電子ペン１で文字等を記入すると、記入された位置が解答用紙２のどの位置に当たるかを、プロセッサ１０８による座標演算により特定することができる。
【００３５】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として受講者用端末３へ送信する。通信ユニット１１１による受講者用端末３への送信は、Ｂｌｕｅｔｏｏｔｈ（登録商標）などの無線送信によって、即時的かつ逐次的に行われる。ここで、電子ペン１のペンダウンからペンアップまでの間に生成されて受講者用端末３に送信された１個又は複数個の座標属性情報は、受講者用端末３によりストローク情報として記憶される。換言すると、１つのストロークは、１個又は複数個のＸ、Ｙ座標（座標点）からなり、受講者用端末３は、ペンダウン情報及びペンアップ情報によって、１つのストロークを構成する１個又は複数個の座標属性情報を認識する。
【００３６】
また、各電子ペン１Ａ〜１Ｅは、ペアリング操作により、各電子ペン１Ａ〜１Ｅの使用者が使用する受講者用端末３Ａ〜３Ｅと認証キーであるパスキーなどの情報交換を予め行っており、Ｂｌｕｅｔｏｏｔｈ通信の通信相手としてその受講者用端末３を認識している。そして、各電子ペン１Ａ〜１Ｅは、受講者が解答用紙２に記入する都度、記入情報を生成して、受講者用端末３へ送信する。言い換えると、各電子ペン１Ａ〜１Ｅは、受講者が解答用紙２に記入し続けている間、記入情報を生成し、受講者用端末３へ送信し続ける。そして、受講者が電子ペン１を解答用紙２から離す（ペンアップする）と、当該電子ペン１は、圧力センサ１０７で所定値以上の筆圧が検出されなくなったことにより、受講者が記入を停止したと判定する。そして、この場合、ペンアップされた電子ペン１は、ＬＥＤ１０５とＣＭＯＳカメラ１０６を停止して、受講者用端末３への記入情報の送信を中止する。
【００３７】
（４）受講者用端末
次に、受講者用端末３について説明する。受講者用端末３は、ハードウェアとして、電子ペン１とのデータ通信が可能なアンテナ装置、ＣＰＵ等のプロセッサ、ＲＯＭやＲＡＭといったメモリ、ディスプレイ、タッチパネル等で構成される。なお、本実施形態では、受講者用端末３は、各受講者に配布されるｉＰａｄ（登録商標）などのタブレット型端末であるものとする。
【００３８】
図７は、受講者用端末３の機能ブロック図である。受講者用端末３は、機能的には、タッチパネルなどの入力部３１、通信部３２、記憶部３３、処理部３４、及び表示部３６を備える。通信部３２は、アンテナ受信回路等により構成され、電子ペン１から記入情報を受信したり、講師用端末４と転送装置５を介して所定のデータの授受を行ったりする。表示部３６は、ディスプレイ等によって構成され、処理部３４によって指示された内容を表示する。
【００３９】
処理部３４は、ＣＰＵ等のプロセッサによって構成され、記憶部３３に記憶されたプログラムを実行することで、受講者用端末３の全体の制御を行う。
【００４０】
例えば、処理部３４は、通信部３２の通信制御を行う。具体的には、処理部３４は、通信部３２を介して、ペアリング操作がなされた電子ペン１から送信された記入情報を受信する。また、処理部３４は、電子ペン１から受信した記入情報から生成したストローク情報を、通信部３２により講師用端末４に送信する。さらに、処理部３４は、別の受講者用端末３が生成したストローク情報又はこれと同等な他の受講者の筆跡を表示するための情報（これらを「他者筆跡情報」とも呼ぶ。）を、通信部３２により講師用端末４から受信する。
【００４１】
また、処理部３４は、受講者用端末３の使用者である受講者が解答用紙２へ記入した筆跡や他の受講者が解答用紙２へ記入した筆跡を表示するためのウィンドウ（「筆跡表示ウィンドウ」とも呼ぶ。）を表示部３６に表示させる。この場合、処理部３４は、電子ペン１から送信された記入情報に基づくストローク情報と、講師用端末４から受信した他者筆跡情報とに基づき、筆跡表示ウィンドウに各受講者の筆跡を表示させる。このとき、処理部３４は、他の受講者用端末３及び講師用端末４が表示する内容に関わらず、入力部３１により検知した操作に応じた内容を示す筆跡表示ウィンドウを表示する。筆跡表示ウィンドウの具体的な機能については、［筆跡表示ウィンドウ］のセクションで詳しく説明する。
【００４２】
記憶部３３は、ＲＯＭやＲＡＭといったメモリによって構成される。記憶部３３は、解答用紙２の各頁に印刷されたドットパターンが示す座標範囲の情報（「座標定義情報」とも呼ぶ。）を記憶する。また、記憶部３３は、ペアリング操作がなされた電子ペン１のペンＩＤ、講師用端末４の通信アドレス、及び処理部３４が所定の処理を実行するのに必要なプログラム等を予め記憶している。さらに、記憶部３３は、処理部３４の処理命令により、電子ペン１から受信した記入情報を、ストローク情報としてペンＩＤ毎に記憶する。
【００４３】
なお、処理部３４及び表示部３６は、本発明における「第１表示手段」の一例であり、通信部３２及び処理部３４は、本発明における「第１受信手段」及び「第１送信手段」の一例である。また、処理部３４は、本発明における「初期設定情報取得手段」及び「グループ設定手段」の一例である。
【００４４】
（５）講師用端末
次に、講師用端末４について説明する。講師用端末４は、ハードウェアとして、電子ペン１とのデータ通信が可能なアンテナ装置、ＣＰＵ等のプロセッサ、ＲＯＭやＲＡＭといったメモリ、ディスプレイ、タッチパネル等で構成される。講師用端末４は、例えばノートＰＣ等である。
【００４５】
図８は、講師用端末４の機能ブロック図である。講師用端末４は、機能的には、マウスやキーボードなどの入力部４１、通信部４２、記憶部４３、処理部４４、及び表示部４６を備える。通信部４２は、アンテナ受信回路等により構成され、受講者用端末３と転送装置５を介して所定のデータの授受を行ったりする。表示部４６は、ディスプレイ等によって構成され、処理部４４によって指示された内容を表示する。
【００４６】
処理部４４は、ＣＰＵ等のプロセッサによって構成され、記憶部４３に記憶されたプログラムを実行することで、講師用端末４の全体の制御を行う。例えば、処理部４４は、通信部４２の通信制御を行う。具体的には、処理部４４は、各受講者用端末３からストローク情報を通信部４２により受信し、記憶部４３に記憶する。また、処理部４４は、受講者用端末３からの要求に応じ、受講者用端末３が所定の表示を行うのに必要な他者筆跡情報を、通信部４２により受講者用端末３へ送信する。また、処理部４４は、各受講者用端末３から受信したストローク情報に基づき、各受講者が解答用紙２へ記入した筆跡を、筆跡表示ウィンドウ上に表示させる。
【００４７】
記憶部４３は、ＲＯＭやＲＡＭといったメモリによって構成される。記憶部４３は、解答用紙２の各頁に印刷されたドットパターンに関する座標定義情報を記憶する。また、記憶部４３は、各電子ペン１のペンＩＤと、当該電子ペン１を使用する受講者の情報とを関連付けた情報を記憶する。図９は、各受講者を示すユーザＩＤと、受講者名と、当該受講者が使用する電子ペン１のペンＩＤとを関連付けた情報のデータ構造の一例を示す。図９の例では、受講者「太郎」、「次郎」、「三郎」、「四郎」及び「五郎」に対応するユーザＩＤ、受講者名及び電子ペン１のペンＩＤがそれぞれ関連付けられている。また、記憶部４３は、処理部４４が所定の処理を実行するのに必要なプログラムや、入力部４１への入力等に基づき生成された筆跡表示ウィンドウの表示に関する設定情報等を予め記憶している。また、記憶部４３は、処理部４４の処理命令により、電子ペン１から受信したストローク情報を、他者筆跡情報として、受講者のユーザＩＤ毎又はペンＩＤ毎に記憶する。
【００４８】
なお、処理部４４及び表示部４６は、本発明における「第２表示手段」の一例であり、通信部４２及び処理部４４は、本発明における「第２受信手段」及び「第２送信手段」の一例である。また、処理部４４は、本発明における「グループ設定手段」及び「表示制限手段」の一例である。
【００４９】
［筆跡表示ウィンドウ］
次に、受講者用端末３の処理部３４が表示部３６に表示させる筆跡表示ウィンドウについて説明する。以後では、一例として、受講者「太郎」が使用する受講者用端末３Ａが表示する筆跡表示ウィンドウを対象に説明を行う。なお、上述したように、各受講者用端末３の処理部３４及び講師用端末４の処理部４４は、各操作者による操作に応じて、筆跡表示ウィンドウの表示制御をそれぞれ独立して行う。
【００５０】
（１）個別表示画面
図１０は、受講者用端末３Ａの使用者である受講者「太郎」の解答用紙２への記入内容を個別に表示した画面（「個別表示画面」とも呼ぶ。）を示す筆跡表示ウィンドウの表示例である。図１０に示すように、筆跡表示ウィンドウは、解答再現エリア５１及び背景エリア５２を有するメイン表示エリア５０と、受講者選択リスト「ＭＬ」を表示するためのリスト表示エリア５３と、ボタン表示エリア５４と、通信状態表示エリア５５、５６とを有する。
【００５１】
解答再現エリア５１は、受講者が電子ペン１により解答用紙２へ記入した筆跡を再現した画像を表示するためのエリアである。図１０の例では、処理部３４は、電子ペン１Ａから受信した記入情報に基づくストローク情報を用いて、解答再現エリア５１に、受講者用端末３Ａの使用者である受講者「太郎」が解答用紙２Ａに記入した筆跡を描画している。なお、処理部３４は、後述する受講者選択リストＭＬから受講者「太郎」以外の受講者が選択された場合、選択された受講者に対応する他者筆跡情報を講師用端末４から受信することで、選択された受講者が解答用紙２に記入した筆跡を解答再現エリア５１に描画する。背景エリア５２は、解答再現エリア５１の背景となるエリアである。
【００５２】
リスト表示エリア５３に表示される受講者選択リストＭＬは、解答再現エリア５１に解答内容の筆跡を表示する対象となる受講者を選択するためのリストであり、講師用端末４に登録された各受講者の名前を示す氏名欄５３０と、当該受講者が属するグループ番号を示すグループ番号欄５３１とを有する。図１０の例では、グループ番号は、受講者ごとに異なる番号が割り振られている。処理部３４は、リスト表示エリア５３に表示すべき情報を、筆跡表示ウィンドウの起動時に講師用端末４から取得することで、リスト表示エリア５３内に受講者選択リストＭＬを表示する。
【００５３】
ボタン表示エリア５４には、新規作成ボタン６１と、保存ボタン６２と、開くボタン６３とが設けられている。新規作成ボタン６１は、ストローク情報及び他者筆跡情報が反映されていない新規の筆跡表示ウィンドウを表示するためのボタンである。保存ボタン６２は、現在表示されている筆跡表示ウィンドウを後で再現して表示するために必要な情報をファイル形式で保存するためのボタンである。開くボタン６３は、保存ボタン６２によりファイル形式で保存された任意のファイルをユーザに選択させ、選択されたファイルに基づき筆跡表示ウィンドウを表示するためのボタンである。
【００５４】
通信状態表示エリア５５は、受講者用端末３ＡのＩＰアドレス（１９２．１６８．０．１０）と、その通信先である講師用端末４のＩＰアドレス（１９２．１６８．０．１１２）とを対応付けて表示するエリアである。また、通信状態表示エリア５６は、受講者用端末３Ａと現在通信を確立している電子ペン１の本数（図１０では１本）を表示するエリアである。
【００５５】
ここで、筆跡表示ウィンドウの機能についてさらに補足説明する。
【００５６】
各受講者は、筆跡表示ウィンドウ上で、自己に割り振られたグループ番号を変更することが可能である。例えば、受講者用端末３Ａは、使用者「太郎」に対応する「１」と表示されたグループ番号欄５３１へのタッチ操作を検知した場合、変更可能な新たなグループ番号の候補を表示し、その中のいずれかをさらにタッチ操作により選択させる。そして、受講者用端末３Ａは、グループ番号の変更を受け付けた場合には、グループ番号の変更内容を示す設定情報を講師用端末４に送信する。
【００５７】
また、受講者選択リストＭＬに関し、処理部３４は、受講者用端末３Ａの使用者である受講者「太郎」の名前欄５３０の色（図１０では白）と、受講者用端末３Ａの使用者でない他の受講者の名前欄５３０の色（図１０では赤）とを異ならせている。これにより、処理部３４は、受講者選択リストＭＬ上で、受講者用端末３Ａを使用する受講者とそれ以外の受講者とを明確に区別することができる。さらに、受講者選択リストＭＬでは、処理部３４は、解答再現エリア５１で筆跡が表示される対象となっている受講者（ここでは太郎）の行を強調表示する。
【００５８】
また、好適には、受講者用端末３Ａは、筆跡表示ウィンドウを表示するためのアプリケーションを起動し、講師用端末４と通信を確立したときに、講師用端末４が記憶する設定情報を講師用端末４から自動的に取得し、表示させる筆跡表示ウィンドウにその設定情報を反映させるとよい。上述の設定情報は、例えば、背景エリア５２に表示すべき背景画像、前回の授業で生成されたストローク情報などの授業データ、受講者選択リストＭＬの各受講者名やグループ番号等が該当する。また、受講者用端末３Ａは、上述の設定情報の自動での取得及び反映の処理が失敗した場合であっても、所定の操作を検知した場合には、再び設定情報の取得及び反映の処理を実行する。
【００５９】
（２）一覧表示画面
図１１は、各受講者の記入内容を一覧表示した画面（「一覧表示画面」とも呼ぶ。）を示す筆跡表示ウィンドウの表示例である。例えば、処理部３４は、所定の操作（例えばタッチパネル上で２本の指を接触させながら近付ける操作等）を検出した場合に、図１０に示す画面から図１１に示す画面に切り替える。
【００６０】
図１１に示すように、処理部３４は、記憶部３３に記憶したストローク情報と、講師用端末４から受信した他者筆記情報とに基づき、筆跡表示ウィンドウ上に、各受講者に対する解答内容を示す解答再現エリア５１Ａ〜５１Ｄを二列に並べて表示している。なお、図１１の例では、解答再現エリア５１Ｃ〜５１Ｄの一部と、五郎に対応する解答再現エリア５１とが、受講者用端末３Ａの画面サイズの関係上、一時的に非表示になっている。処理部３４は、例えば、メイン表示エリア５０上で指を接触させたまま上にスライドさせる操作（即ちスクロール操作）をタッチパネルにより検知した場合、上述の非表示部分が表示されるように、メイン表示エリア５０の表示対象範囲をスライドさせる。また、処理部３４は、表示中の解答再現エリア５１のいずれかがタッチされたことをタッチパネルにより検知した場合には、選択された解答再現エリア５１を拡大表示した個別表示画面を示す筆跡表示ウィンドウを表示してもよい。
【００６１】
また、処理部３４は、表示中の解答再現エリア５１Ａ〜５１Ｄに対応付けて、解答者である受講者名が表示されたタイトル表示欄６５Ａ〜６５Ｄを、メイン表示エリア５０上に表示させている。このとき、処理部３４は、各タイトル表示欄６５Ａ〜６５Ｄを、受講者選択リストＭＬの名前欄５３０の色と同一色により着色させている。即ち、処理部３４は、受講者用端末３Ａの使用者である受講者「太郎」の解答再現エリア５１Ａに対応するタイトル表示欄６５Ａの色（図１１では白）と、受講者用端末３Ａの使用者でない他の受講者の解答再現エリア５１Ｂ〜５１Ｄに対応するタイトル表示欄６５Ｂの色（図１１では赤）とを異ならせている。なお、処理部３４は、タイトル表示欄６５Ａ〜６５Ｄに加えて、解答再現エリア５１Ａ〜５１Ｄに表示されたストロークの色についても同様に、受講者選択リストＭＬの名前欄５３０の色と同一色により着色させてもよい。
【００６２】
［他者筆跡情報の管理］
講師用端末４は、操作者である講師の操作に基づき、各受講者用端末３が表示する筆跡表示ウィンドウ上での、他の受講者の解答内容を示す解答再現エリア５１の表示を制限する。これについて、図１２及び図１３を参照して詳しく説明する。
【００６３】
図１２は、講師用端末４が表示する筆跡表示ウィンドウの表示例を示す。図１２に示す筆跡表示ウィンドウは、ボタン表示エリア５４上に、各受講者用端末３の筆跡表示ウィンドウ上での他の受講者の解答内容の表示可否に関する設定（単に「閲覧設定」とも呼ぶ。）を指定するための閲覧管理ボタン７１〜７３を有する。
【００６４】
講師用端末４の処理部４４は、「相互閲覧不可」と表示された閲覧管理ボタン７１がマウスのクリック操作などで押下されたことを入力部４１により検知した場合、各受講者用端末３の閲覧設定を、他の受講者の解答内容を示す解答再現エリア５１を表示できない設定（「第１閲覧設定」とも呼ぶ。）にする。また、講師用端末４の処理部４４は、「グループ内閲覧可」と表示された閲覧管理ボタン７２が押下されたことを入力部４１により検知した場合、各受講者用端末３の閲覧設定を、同じグループに属する受講者の解答内容を示す解答再現エリア５１のみを表示可能とする設定（「第２閲覧設定」とも呼ぶ。）にする。また、講師用端末４の処理部４４は、「閲覧制限なし」と表示された閲覧管理ボタン７３が押下されたことを入力部４１により検知した場合、各受講者用端末３の閲覧設定を、全ての受講者の解答内容を示す解答再現エリア５１を表示可能な設定（「第３閲覧設定」とも呼ぶ。）にする。なお、処理部４４は、閲覧設定の設定内容によらず、講師用端末４の筆跡表示ウィンドウ上での各受講者に対応する解答再現エリア５１を制限なく表示させる。
【００６５】
図１３は、第１閲覧設定での受講者用端末３Ａが表示する個別表示画面を示す筆跡表示ウィンドウの表示例である。図１３の例では、受講者用端末３Ａの処理部３４は、受講者選択リストＭＬのうち、受講者用端末３Ａの使用者である「太郎」以外の行を非表示にすることで、他の受講者の解答内容を解答再現エリア５１に表示する操作ができないようにしている。さらに、受講者用端末３Ａの処理部３４は、一覧表示画面への切り替えを指示する操作が行われた場合であっても、「太郎」以外の解答内容を示す解答再現エリア５１を表示させない。
【００６６】
ここで、第１閲覧設定での処理の具体例について説明する。例えば、講師用端末４は、第１閲覧設定に設定されている間では、他者筆跡情報をいずれの受講者用端末３にも送信せず、かつ、受講者選択リストＭＬの他受講者の行を非表示にする旨の指示信号を各受講者用端末３に送信する。他の例では、講師用端末４は、閲覧設定が第１閲覧設定に設定されている旨を示す情報を各受講者用端末３に送信し、受講者用端末３は、受信した情報に基づき、上述の表示制限を行う。
【００６７】
第２閲覧設定の場合、講師用端末４の処理部４４は、同じグループに設定された受講者間での解答内容を示す解答再現エリア５１のみを表示可能とする。この場合、受講者用端末３の処理部３４は、個別表示画面のリスト表示エリア５３に、受講者用端末３の使用者が属するグループ内の受講者を示す行のみを選択可能に表示させる。また、処理部３４は、一覧表示画面では、受講者用端末３の使用者が属するグループ内の受講者に対応する筆跡を示す解答再現エリア５１のみを一覧表示させる。この場合、例えば、講師用端末４は、第２閲覧設定に設定されている間、各受講者用端末３の使用者と同一グループの受講者の他者筆跡情報のみを当該受講者用端末３に送信し、かつ、受講者選択リストＭＬの他グループの受講者の行を非表示にする旨の指示信号を各受講者用端末３に送信する。他の例では、講師用端末４は、閲覧設定が第２閲覧設定である旨を示す情報を各受講者用端末３に送信し、受講者用端末３は、受信した情報に基づき、使用者が属するグループの受講者の解答再現エリア５１のみが表示できるように表示制限を行う。
【００６８】
また、第３閲覧設定の場合、受講者用端末３及び講師用端末４は、表示制限の処理を行なわず、受講者用端末３は、図１０及び図１１に示すような筆記表示ウィンドウを表示する。
【００６９】
このように、講師用端末４は、講師の操作に基づき、受講者用端末３の他者筆跡情報に基づく表示制限を行う。これにより、例えば、講師は、テストを実行中の時間帯に該当する授業の序盤の時間帯では、各受講者用端末３を第１閲覧設定にし、テスト終了後に各受講者用端末３を第３閲覧設定にすることで、テスト及びテスト後の講義を好適に行うことができる。同様に、講師は、授業の序盤に実行するグループワークでは各受講者用端末３を第２閲覧設定にし、その後のグループごとの発表時等には各受講者用端末３を第３閲覧設定にすることもできる。
【００７０】
［本実施形態の表示システムによる作用効果］
本実施形態の表示システムによれば、講師用端末４は、各受講者用端末３が電子ペン１から受信した記入情報に基づくストローク情報を受信すると共に、要求に応じて他者筆跡情報を受講者用端末３に送信する。そして、各受講者用端末３と講師用端末４とは、使用者である受講者や講師の操作に応じて、解答用紙２への筆跡を表示するための筆跡表示ウィンドウの表示制御を、互いに独立して行う。この態様により、各受講者は、受講者用端末３を操作して、自らの意思により筆跡表示ウィンドウ上で解答用紙２への筆跡を容易に確認することが可能となる。また、本実施形態の表示システムによれば、各受講者は、好適に、他の受講者の解答内容を筆跡表示ウィンドウ上で閲覧することもできる。
【００７１】
さらに、講師用端末４は、閲覧管理ボタン７１〜７３への操作に基づき、各受講者用端末３が表示する筆跡表示ウィンドウ上での他の受講者の解答内容を示す筆跡の表示を制限する。これにより、講師は、テストやグループワークなどを含む授業を好適に実行することができる。
【００７２】
［変形例］
次に、上述の実施形態の変形例について説明する。以下の変形例は、任意に組み合わせて上述の実施形態に適用してもよい。
【００７３】
（変形例１）
図１の構成例では、各受講者につき１本の電子ペン１及び１台の受講者用端末３が割り当てられていた。しかし、本発明が適用可能な表示システムの態様は、図１に示す構成に限定されない。
【００７４】
図１４（Ａ）〜（Ｃ）は、本発明に適用可能な受講者、電子ペン１、解答用紙２、及び受講者用端末３の割り当ての例を示す。図１４（Ａ）は、図１と同様、各受講者につき１本の電子ペン１及び１台の受講者用端末３が割り当てられる例を示す。また、図１４（Ｂ）は、各受講者につき１本の電子ペン１が割り当てられ、かつ、複数の受講者で受講者用端末３を共有する例を示す。さらに、図１４（Ｃ）は、複数の受講者で電子ペン１及び受講者用端末３を共有する例を示す。
【００７５】
これらの場合、後述する変形例２及び変形例３でも述べるように、表示システムは、受講者ごとに異なるグループ番号を付してもよく、電子ペン１ごとに異なるグループ番号を付してもよく、受講者用端末３ごとに異なるグループ番号を付してもよい。
【００７６】
（変形例２）
図１４（Ｂ）に示す受講者用端末３の共有の例において、受講者用端末３を共有する受講者同士が同じグループとなる設定の場合、受講者用端末３は、受講者用端末３を共有する受講者のグループの変更を指示する操作を検知したときに、当該グループに属する全ての受講者のグループ番号を一斉に変更する。この具体例について、図１５及び図１６を参照して説明する。
【００７７】
図１５は、受講者「太郎」、「次郎」、及び「三郎」が受講者用端末３を共有する場合において、受講者「太郎」のグループ番号を変更する際の筆跡表示ウィンドウの表示例を示す。なお、図１５の例では、処理部３４は、図１５の画面を表示する受講者用端末３を共有する受講者「太郎」、「次郎」、及び「三郎」が表示された受講者選択リストＭＬの氏名欄５３０の色（図１５では白）と、当該受講者用端末３とは異なる受講者用端末３を使用する受講者が表示された名前欄５３０の色（図１５では赤）とを異ならせている。また、処理部３４は、図１５の画面を表示する受講者用端末３を共有する受講者「太郎」、「次郎」、及び「三郎」の受講者選択リストＭＬの行を最上位に配置し、他の受講者に対応する行を、その後にグループ番号順に表示している。
【００７８】
まず、図１５に示すように、受講者「太郎」、「次郎」、又は「三郎」が、受講者用端末３の共有者又は本人である受講者「太郎」のグループ番号欄を指でタッチすると、処理部３４は、タッチされたグループ番号欄５３１の左横に新たなグループ番号の候補を示す番号メニュー７０を表示させる。なお、処理部３４は、受講者用端末３を使用していない受講者に対応するグループ番号欄がタッチされた場合であっても、番号メニュー７０を表示せず、グループ番号の変更を受け付けない。
【００７９】
図１６は、番号メニュー７０から「５」と表示された項目がタッチされた直後の筆跡表示ウィンドウの表示例を示す。この場合、処理部３４は、受講者「太郎」のグループ番号欄５３１の番号を指定された番号「５」に変更すると共に、受講者「太郎」と受講者用端末３を共有する受講者「次郎」及び「三郎」のグループ番号欄５３１の番号を、指定された番号「５」に一斉に変更する。これにより、受講者用端末３を共有する受講者同士を常に同じグループに設定することができる。その後、受講者用端末３は、グループ番号の変更内容を示す設定情報を講師用端末４に送信する。
【００８０】
なお、図１５及び図１６の説明では、受講者用端末３は、同じ受講者用端末３を共有する受講者のグループ番号がグループ番号の変更前後で同一になるように制御したが、これに代えて、同じ電子ペン１を共有する受講者のグループ番号がグループ番号の変更前後で同一になるように制御してもよい。
【００８１】
（変形例３）
受講者用端末３又は講師用端末４は、電子ペン１から送信される記入情報に基づき各受講者のグループ分けを行ってもよい。
【００８２】
ここで、受講者ごとに電子ペン１及び受講者用端末３が割り当てられる構成（図１４（Ａ）参照）でグループ分けを行う例について説明する。この場合、例えば、グループごとに異なるドットパターンが印刷された用紙（「グループ用紙」とも呼ぶ。）が用意され、各受講者は、自己の使用する電子ペン１でタップする。この場合、電子ペン１から記入情報を受信した受講者用端末３又は当該記入情報が受講者用端末３から転送された講師用端末４は、記入情報に含まれる座標情報及びペンＩＤに基づき、各受講者がタップしたグループ用紙に対応するグループ番号を認識し、認識したグループ番号を当該受講者に関連付けて記憶する。なお、この例では、受講者用端末３又は講師用端末４は、各グループ用紙に印刷されたドットパターンの座標範囲と、当該グループ用紙に対応するグループ番号とを予め関連付けて記憶しておく。これにより、受講者用端末３又は講師用端末４は、グループ用紙に電子ペン１でタップした受講者に、グループ用紙が用意されたグループの番号を適切に割り当てることができる。
【００８３】
次に、１本の電子ペン１を複数の受講者が共用し（図１４（Ｃ）参照）、かつ、電子ペン１ごとに受講者をグループ分けする例について説明する。この場合、例えば、各受講者の名前が記載された名前欄と、電子ペン１によりチェックするためのチェック欄とが設けられた名簿用紙が予め用意され、各チェック欄にはそれぞれ異なるドットパターンが印刷されている。そして、各受講者は、自己が使用する電子ペン１により自己の名前が記載された名前欄に対応するチェック欄にチェックを入れる。この場合、電子ペン１から記入情報を受信した受講者用端末３又は当該記入情報が受講者用端末３から転送された講師用端末４は、記入情報に含まれる座標情報に基づきチェックした受講者を認識すると共に、記入情報に含まれるペンＩＤに対応するグループ番号を受講者に割り当てる。なお、この例では、受講者用端末３又は講師用端末４は、各名簿用紙のチェック欄に印刷されたドットパターンの座標範囲と、当該チェック欄に対応する受講者とを予め関連付けて記憶しておく。なお、上述の名前欄とチェック欄とは同一欄であってもよい。
【００８４】
なお、１本の電子ペン１を複数の受講者が共用する場合に、上述のグループ用紙と名簿用紙とを併用することで、受講者一人ずつグループを指定することも可能である。
【００８５】
（変形例４）
表示システムは、各受講者用端末３Ａが生成したストローク情報を蓄積して保存（即ちアーカイブ）するためのサーバをさらに備えてもよい。図１７は、本変形例に係る表示システムの構成例を示す。図１７に示す表示システムは、サーバ装置６を備える。サーバ装置６は、受講者用端末３から講師用端末４へ送信される全てのストローク情報を、転送装置５を介して受講者用端末３から受信し、記憶する。この態様により、表示システムは、生成されたストローク情報を好適に保存することができる。
【００８６】
（変形例５）
実施形態では、受講者用端末３は、ドットパターンの座標情報を含む記入情報を電子ペン１から受信した場合に、当該記入情報からなるストローク情報を講師用端末４へ送信していた。これに代えて、受講者用端末３は、ドットパターンの座標情報を含むストローク情報を、筆跡を示す画像データ又は動画データなどの一般的な形式の表示データに変換し、当該表示データを講師用端末４へ送信してもよい。上述の表示データは、好適には、ドットパターンの座標定義情報を有しない通常の端末でも筆跡を表示することが可能な標準化された形式のデータである。例えば、受講者用端末３は、ストローク情報に含まれる座標情報を、筆跡表示ウィンドウ上に筆跡を描画するために座標定義情報を参照してディスプレイ用の座標情報に変換したデータを、上述の表示データとして講師用端末４に送信してもよい。
【００８７】
このように、本変形例によれば、講師用端末４は、ドットパターンの座標定義情報を記憶していない場合であっても、受講者用端末３から送信される表示データに基づき、各受講者が記入した筆跡を好適に筆跡表示ウィンドウ上に表示させることができる。なお、本変形例では、講師用端末４は、受講者用端末３から受信した表示データを、他者筆跡情報として他の受講者用端末３に送信する。
【００８８】
（変形例６）
上記実施形態において、電子ペン、ドットパターン（コード化パターン）、記入情報に、アノト方式を用いたが、アノト方式に限られなくともよい。また、ドットパターン（コード化パターン）も、位置座標を示すものに限られず、アイコンを識別するためのコード値や、関連付けエリアを識別するためのコード値を示すものであってもよい。
【００８９】
また、表示システムは、コード化パターンが印刷された用紙を読み取る電子ペン１に代えて、筆記中にペン先から赤外線（光）と超音波（音）を同時に発信する電子ペンを備えてもよい。この場合、受講者用端末３は、当該電子ペンから赤外線及び超音波を受信し、赤外線を受信してから超音波を受信するまでの時間に基づきペン先の動きを割り出してストローク情報を生成し、当該ストローク情報に基づき所定の表示を行う。
【符号の説明】
【００９０】
１、１Ａ〜１Ｅ…電子ペン
２、２Ａ〜２Ｅ…解答用紙
３、３Ａ〜３Ｅ…受講者用端末
４…講師用端末
５…転送装置
６…サーバ装置
【図１】
2015095018.tif 000003
【図２】
2015095018.tif 000004
【図３】
2015095018.tif 000005
【図４】
2015095018.tif 000006
【図５】
2015095018.tif 000007
【図６】
2015095018.tif 000008
【図７】
2015095018.tif 000009
【図８】
2015095018.tif 000010
【図９】
2015095018.tif 000011
【図１０】
2015095018.tif 000012
【図１１】
2015095018.tif 000013
【図１２】
2015095018.tif 000014
【図１３】
2015095018.tif 000015
【図１４】
2015095018.tif 000016
【図１５】
2015095018.tif 000017
【図１６】
2015095018.tif 000018
【図１７】
2015095018.tif 000019